(57)【要約】      （修正有）【課題】箱罠などの罠に取り付けられ、罠で捕獲した動物を狭い空間に追い込み、動きを制限して、安全に罠から取り出すことができ、使用する箱罠の入口の大きさの違いに柔軟に対応して入口を封鎖することが可能な汎用性の高い罠用殺処分装置を提供する。【解決手段】罠用殺処分装置Ｔ１は、箱罠３の捕獲空間より小さく、動物が暴れることができないように動きを制限する収容空間２００と、収容空間２００と連通する開閉可能な通り口２０２を有する誘導箱２と、誘導箱２の通り口２０２の近傍に着脱可能で、大きさの調節が可能であり、内部の捕獲空間に通じる開閉可能な入口３１を有する箱罠３に、入口３１を誘導箱２と共に封鎖するように着脱可能な封鎖部材１を備える。【選択図】図１
2017192328.tif 000002
【特許請求の範囲】
【請求項１】
罠の捕獲空間より小さく、動物が暴れることができないように動きを制限する収容空間と、該収容空間と連通する開閉可能な通り口とを有する誘導箱と、
該誘導箱の通り口の近傍に着脱可能で、大きさまたは形状の調節が可能であり、内部の捕獲空間に通じる開閉可能な入口を有する罠に、該罠の前記入口を開閉可能な状態で、前記誘導箱と共に前記入口を封鎖するように着脱可能な封鎖部材とを備える
罠用殺処分装置。
【請求項２】
封鎖部材が、誘導箱の通り口の左右の何れか一方側だけに取り付けられている
請求項１の罠用殺処分装置。
【請求項３】
前記誘導箱の収容空間の大きさを調節可能な動作制限手段を有する
請求項１または２の罠用殺処分装置。
【請求項４】
前記誘導箱が、底部に、捕獲した動物の殺処分を行うための開閉可能な作業口を有する
請求項１、２または３の罠用殺処分装置。
【請求項５】
前記誘導箱が、前記通り口とは反対側に、殺処分した動物を回収するための開閉可能な回収口を有する
請求項１、２、３または４の罠用殺処分装置。
【発明の詳細な説明】
【技術分野】
【０００１】
本発明は、罠用殺処分装置に関するものである。更に詳しくは、箱罠などの罠に取り付けられ、罠で捕獲した動物を狭い空間に追い込み、動きを制限して、安全に殺処分をすることができる罠用殺処分装置において、使用する箱罠の入口の大きさの違いに柔軟に対応して入口を封鎖することが可能で、汎用性の高い罠用殺処分装置に関する。
【背景技術】
【０００２】
動物用の罠には様々なものがあるが、その中でも動物をそれほど傷付けずに捕獲できる罠としては、いわゆる箱罠または囲い罠が代表的なものである。これらの罠は、一般に檻状であり、入口から入った動物を検出して、落とし扉などで入口を塞ぎ、動物を内部空間に閉じ込めて捕獲するものである。このような罠で捕獲対象獣である動物を捕獲したときは、ほとんどの場合、罠の内部で殺処分が行なわれる。
【０００３】
しかし、罠の内部は比較的広いため、動物を殺処分しようとしても、興奮して空間内部を縦横に走り回って暴れる。このため、ある程度慣れた狩猟者であっても、なかなか殺処分をすることができず、きわめて効率が悪かった。また、動物が檻壁に激突するなどして傷付き、特に食用とする場合に肉質が低下してしまうなどの問題もあった。
【０００４】
そこで、箱罠や囲い罠に着脱できる小さな檻状の収容箱を用意し、動物を罠で捕獲した後は、収容箱に取り付けた収容箱に誘導して動きを制限できるようにし、その状態で安全に罠から外へ出すことができ、場合によっては、収容状態で殺処分を行うことも可能な罠装置が提案されている。このような罠装置の一例としては、特許文献１に記載された動物捕獲装置がある。
【０００５】
この動物捕獲装置は、捕獲柵の周囲を複数に分割した分割柵体を組み付けて方形又は多角形とした柵の一部に動物入口が設けられ、動物入口に動物が内部に入ると閉まる落とし扉が設けられ、かつ動物入口よりも小さく開口可能な動物追出し小口が設けられた捕獲柵と、捕獲柵よりも小さく動物追出し小口に宛われる動物収容籠とからなり、捕獲柵は正面柵体と背面柵体及び左右側面柵体からなり、これら四方柵体のいずれかまたは総てを分離又は折畳み可能であり、捕獲柵を設置する山中が荒廃していても強固な鋼製の捕獲柵が設置でき、捕らえた柵内の猪等を逃がさずに安全に柵内から排出することができる、というものである。
【先行技術文献】
【特許文献】
【０００６】
【特許文献１】特開２０００−３１６４５６号公報
【発明の概要】
【発明が解決しようとする課題】
【０００７】
しかしながら、上記動物捕獲装置には、次のような課題があった。すなわち、殺処分のため動物を収容する動物収容籠は、罠を構成している柵の動物追出し小口に取り付けられるようになっている。つまり、動物収容籠は、専用の動物追出し小口を有する柵を備える罠にしか取り付けることができないため、汎用性がなく、様々な大きさの罠が存在する狩猟の現場においては使いにくかった。
【０００８】
本発明は、以上の点に鑑みて創案されたものであり、箱罠などの罠に取り付けられ、罠で捕獲した動物を狭い空間に追い込み、動きを制限して、安全に罠から取り出すことができ、必要に応じて殺処分をすることができる罠用殺処分装置において、使用する箱罠の入口の大きさの違いに柔軟に対応して入口を封鎖することが可能で、汎用性の高い罠用殺処分装置を提供することを目的とする。
【課題を解決するための手段】
【０００９】
（１）上記の目的を達成するため、本発明は、罠の捕獲空間より小さく、動物が暴れることができないように動きを制限する収容空間と、該収容空間と連通する開閉可能な通り口とを有する誘導箱と、該誘導箱の通り口の近傍に着脱可能で、大きさまたは形状の調節が可能であり、内部の捕獲空間に通じる開閉可能な入口を有する罠に、該罠の前記入口を開閉可能な状態で、前記誘導箱と共に前記入口を封鎖するように着脱可能な封鎖部材とを備える罠用殺処分装置である。
【００１０】
罠用殺処分装置は、誘導箱に取り付けられる封鎖部材が着脱可能であり、例えば様々な大きさ、形状の構成部材を必要数用意しておくことにより、封鎖部材の大きさの調節が可能である。したがって、封鎖部材の大きさを、罠用殺処分装置を取り付ける様々な大きさの罠の入口の大きさに合わせることができる。なお、これらの構成部材は、個々は小さく作ることができるので、使用現場までの運搬もしやすい。
【００１１】
また、罠の入口は、もともと封鎖部材とは別の昇降扉などを使用して開閉可能であり、封鎖部材は誘導箱と共に、この昇降扉を閉じた状態で、入口に取り付けて、昇降扉を空けても、封鎖部材と誘導箱で罠の入口の封鎖が維持できるようにする。これにより、狩猟の現場において様々な大きさの箱罠などの罠に対応することができ、汎用性が高い。
【００１２】
また、この罠用殺処分装置は、仕掛けた罠に動物が掛かり、捕獲空間で捕獲されると、罠において閉じた状態の入口側に、上記のように、入口の大きさに合わせた封鎖部材で入口を封鎖した状態で誘導箱を取り付けることができる。なお、誘導箱を取り付ける際には、罠で捕獲されている動物の大きさを勘案し、例えばあらかじめ大きさの異なる複数の誘導箱を設定した中から適合する大きさの誘導箱を選択するのが好ましい。
【００１３】
つまり、動物が誘導箱の収容空間に入ったときに、収容空間が充分に小さく、動物が暴れることができない程度に、その動きが制限されるようであれば、収容空間に動物を移動させて収容するだけで動物の動きを封じることができる。
【００１４】
誘導箱を有する罠用殺処分装置を罠の入口に取り付けた後、罠の入口を開け、更に誘導箱の通り口を開けて、罠の捕獲空間から罠の入口、誘導箱の通り口を通り、誘導箱の収容空間へ空間がつながるようにする。そして、罠の捕獲空間内の動物を追い立て、誘導箱の収容空間へ追い込むように移動させて、誘導箱の通り口を閉じる。
【００１５】
なお、動物は、特に追い立てなくでも、自分から狭い収容空間に逃げ込むことも多いので、自分で誘導箱の中に入らないときだけ追い立てるようにすればよい。そして、通り口を閉じることで、収容空間の内部で動物が動ける空間が少なくなり、後退もできないので、動物は動きが制限されて動きが封じられ、暴れることはできなくなる。
【００１６】
その後、通り口を閉じたまま、つまり動物を収容空間に収容したままで罠用殺処分装置を罠から取り外し、必要であれば封鎖部材を取り外すなどし、適当な場所に運んで、動物の殺処分を行う。そして、殺処分をした動物を、通り口を開けて外へ取り出し、食用として加工をしたり埋葬したりするなどの所定の処理を行う。
【００１７】
なお、誘導箱は、上記のように捕獲した動物の殺処分を行う用途の他、例えば動物が捕獲対象獣でなかった場合など、動物を放獣する場合に所定の場所へ運搬する用途もあり、更には幼獣が入った場合に、そのまま一定期間飼育するような用途もある。
【００１８】
（２）本発明は、封鎖部材が、誘導箱の通り口の左右の何れか一方側だけに取り付けられている構成とすることができる。
【００１９】
この場合は、罠用殺処分装置の封鎖部材を罠の入口に取り付けたときに、誘導箱が自然に入口の左右の一方側の端部に位置することになる。これにより、捕獲されている動物を誘導箱に追い込むときに、追い込みやすくなる。つまり、動物は、罠の内部で追い立てられると、罠の側壁伝いに逃げる習性がある。したがって、動物が、誘導箱の通り口が位置している側の側壁伝いに逃げるように追い立てることにより、誘導箱に容易に追い込むことができる。
【００２０】
（３）本発明は、前記誘導箱の収容空間の大きさを調節可能な動作制限手段を備える構造とすることもできる。
【００２１】
この場合は、誘導箱の収容空間に収容した動物を、動作制限手段によって当初の収容空間より小さくなった収容空間内部に閉じ込めることによって、動物をより強く固定して動きを封じることができる。また、必要に応じて、誘導箱の収容空間を大きくすることもできるので、一台の誘導箱によって、大きさの異なる動物の動作の制限を行うことが可能である。
【００２２】
なお、収容空間が小さくなるように調節するのは、収容空間に動物が収容される前でもよいし、収容された後でもよい。通常は、捕獲した動物の大きさをあらかじめ確認し、内部の空間の幅にあらかじめ検討をつけて調整しておくようにするが、この方法に限定はされない。
【００２３】
（４）本発明は、前記誘導箱が、底部に、捕獲した動物の殺処分を行うための開閉可能な作業口を有する構成とすることもできる。
【００２４】
この場合は、動きが制限されている動物の腹側に作業口が開口することになる。したがって、例えば動物が入った誘導箱を地面に立てて、作業口を誘導箱の側部に位置させることにより、
動物に心臓に到達する致命傷を与える作業がしやすくなり、動物の殺処分が容易にできる。
【００２５】
（５）本発明は、前記誘導箱が、前記通り口とは反対側に、殺処分した動物を回収するための開閉可能な回収口を有する構成とすることもできる。
【００２６】
この場合は、通り口とは別に回収口が設けられるので、収容空間で殺処分した動物を回収する作業がしやすい。つまり、動物を入口側から引き出して回収しようとすると、動物を後足側から引き出すことになるので、前足の肘などの関節部が格子などに引っ掛かりやすく、回収に手間取る可能性がある。しかし、本発明では侵入側である通り口とは反対側に回収口があるので、動物を前足側から引き出すことができ、肘などが格子に引っ掛かりにくく、容易に回収することができる。また、通り口側と回収口側のうち、殺処分した動物に近い方を開けて、動物を回収することもできる。
【００２７】
また、誘導箱の通り口側を閉じた状態でも、回収口を開けることで、動物の回収が可能になるので、場合によっては、罠から罠用殺処分装置を取り外すことなく、収容空間内部の動物の殺処分から回収までの作業を行うことができる。更には、複数（例えば３〜４頭）の動物が一度に捕獲できた場合、動物の大きさが異なっていても、一頭ずつ処分できる。
【発明の効果】
【００２８】
本発明は、箱罠などの罠に取り付けられ、罠で捕獲した動物を狭い空間に追い込み、動きを制限して、安全に殺処分をすることができる罠用殺処分装置において、使用する箱罠の入口の大きさの違いに柔軟に対応して入口を封鎖することが可能で、汎用性の高い罠用殺処分装置を提供することができる。
【図面の簡単な説明】
【００２９】
【図１】本発明に係る罠用殺処分装置の第１の実施の形態及び箱罠を示す分解斜視説明図である。
【図２】図１に示す罠用殺処分装置の構造を示す、前面側から見た分解斜視説明図である。
【図３】図１に示す罠用殺処分装置の構造を示す、後面側から見た斜視図である。
【図４】図１に示す罠用殺処分装置の構造を示す、後面側から見た全体の分解斜視説明図である。
【図５】動物が捕獲された箱罠に罠用殺処分装置を取り付け、罠用殺処分装置の入口側格子扉を開けて、箱罠の入口側格子扉を閉じている状態を示す斜視図である。
【図６】動物が捕獲された箱罠に罠用殺処分装置を取り付け、罠用殺処分装置の入口側格子扉を開けて、箱罠の入口側格子扉を開けており、捕獲された動物を罠用殺処分装置へ移動させている状態を示す斜視図である。
【図７】罠用殺処分装置の第２の実施の形態を示す、後面側から見た要部斜視図である。
【図８】動物が捕獲された箱罠に罠用殺処分装置を取り付け、図７に示す罠用殺処分装置の入口側格子扉を開けて、箱罠の入口側格子扉を開けており、捕獲された動物を罠用殺処分装置へ誘導している状態を示す要部斜視図である。
【図９】誘導箱の変形例を示し、動物を殺処分するために誘導箱を立てて作業口を開けている状態を示す斜視説明図である。
【図１０】罠用殺処分装置の第３の実施の形態を示し、罠用殺処分装置を箱罠に取り付けた状態を示す要部斜視説明図である。
【図１１】罠用殺処分装置の第４の実施の形態を示し、罠用殺処分装置を箱罠に取り付けた状態を示す要部斜視説明図である。
【発明を実施するための形態】
【００３０】
本発明を図面に示した実施の形態に基づき詳細に説明する。
図１乃至図６を参照する。
【００３１】
罠用殺処分装置Ｔ１は金属製（鉄製）であり、内部の収容空間２００と通じる開閉可能な通り口２０２及び回収口２０１を有する誘導箱２と、誘導箱２の内部に備えてある動作制限手段であるジャッキ４５及び移動体４０と、誘導箱２の通り口２０２の左右側に着脱可能に取り付けられ、後述する箱罠３の入口３１を封鎖するように、誘導箱２と共に箱罠３に取り付けられる封鎖部材１とを備えている。
【００３２】
なお、罠用殺処分装置Ｔ１を取り付ける対象となる、捕獲空間を有する罠としては、本実施の形態で説明する檻状の箱罠３の他、板材で捕獲空間を囲った構造の箱罠、或いは格子状の柵で捕獲空間を囲った囲い罠などがあげられる。要は、動物を空間に閉じ込めて捕獲できるものであれば、他の罠でもよく、これらの罠に限定はされない。
【００３３】
なお、箱罠３に対する封鎖部材１の取り付けは、例えば複数の緊締バンド１６によって行われる（図１等参照）。緊締バンド１６は、バンド１６０の両端にフック１６１を有し、巻取機構を有する締付具１６２によりバンド１６０の長さを調節できる公知のものである。
【００３４】
（誘導箱２：図１〜図４参照）
誘導箱２は、上面格子部材２６、側面格子部材２３及び底面格子部材２７からなる箱本体２０を有している。箱本体２０の前端部と後端部には、回収口２０１を開閉する回収口側格子扉２１と、通り口２０２を開閉する通り口側格子扉２２を有している。回収口側格子扉２１は、ガイド枠２４３、２４３ａに案内され、通り口側格子扉２２は、ガイド枠２４２、２４２ａに案内されて昇降できるようにしてある。
【００３５】
誘導箱２の側面格子部材２３と対向する側は、開口部２４１となっている。箱本体２０の前端部寄り及び後端部寄りには、それぞれ上下に互いに平行で山形鋼により形成されたガイド枠２４７、２４７ａ（前部側）、２４８、２４８ａ（後部側）が幅方向に設けられている。ガイド枠２４７、２４７ａ及びガイド枠２４８、２４８ａにおいて開口部２４１から突出した先端部には、固定用の孔（符号省略）が設けられている。なお、ガイド枠２４７、２４７ａ及びガイド枠２４８、２４８ａには、後述する移動体４０がスライド可能に嵌装される。
【００３６】
誘導箱２の開口部２４１側には、動作制限装置４が取り付けられている。動作制限装置４は、誘導箱２内部の収容空間２００において、移動部材である移動体４０を進退動させる構造である。動作制限装置４は、上記ガイド枠２４７、２４７ａ及びガイド枠２４８、２４８ａの先端部に固定される、山形鋼で形成された取り付け部材４１、４２を有している。取り付け部材４１、４２は、二枚の補強台板４３、４４で連結され、上下に所定の間隔で平行に配された構造である。また、取り付け部材４１、４２のそれぞれの両端部には、固定用の孔（符号省略）が設けられている。
【００３７】
補強台板４３、４４には、ジャッキ４５が伸縮方向を水平方向として固定されている。本実施の形態では、ジャッキ４５として車載ジャッキ（いわゆるパンタグラフジャッキ）を採用しているが、これに限定するものではなく、油圧ジャッキやエアージャッキなどを採用することもできる。各ジャッキ４５の台側は補強台板４３、４４に固定されており、受側には上記移動体４０が固定されている。移動体４０は長方形状の枠体であり、四つの角部には、互いに平行に山形鋼で形成されたスライド部材４００が設けられている。
【００３８】
動作制限装置４は、誘導箱２の開口部２４１側から、ガイド枠２４２、２４２ａ、２４３、２４３ａに各スライド部材４００をスライド可能に内嵌めし、取り付け部材４１、４２の各孔をガイド枠２４２、２４２ａ、２４３、２４３ａの各孔に合わせ、これら孔を縫うように二本の固定用ロッド（図示省略）を通すことで誘導箱２に固定できる。なお、移動体４０は、ジャッキ４５のネジ棒（符号省略）に装着したハンドル４５０を回すことで、ガイド枠２４７、２４７ａ及びガイド枠２４８、２４８ａに沿って進退動する。
【００３９】
誘導箱２によれば、収容空間２００に動物が収容された後、必要に応じて各ジャッキ４５のハンドル４５０を回し、移動体４０を移動させ、移動体４０と側面格子部材２３で動物を挟む（あるいは移動体４０で動物を側面格子部材２３に押し付ける）ことにより、動物の動きを制限することができる。誘導箱２の底面格子部材２７は、幅方向（移動体４０の移動方向）にのみ丸棒が固定されており、丸棒と直交する帯板が設けられていない。これにより、例えば動物の足を帯板と移動体４０で挟んでしまって、移動体４０で押せなくなるおそれがない。
【００４０】
また、誘導箱２において、動物の足が通り抜けて、運搬などの際に邪魔にならないように、底面格子部材に代えて板状とすることもできる。なお、誘導箱２の動作制限装置４は、動物を挟む力を調節することにより動物の自由度（動ける程度）を加減することも可能である。
【００４１】
（封鎖部材１：主に図１〜図４参照）
封鎖部材１は、外形が縦に長い二枚の四角形状の格子部材１１、１２により構成されている。格子部材１１、１２の形状は対称形状であり、その大きさは、誘導箱２の通り口２０２の近傍、すなわちガイド枠２４２、２４２ａの外側に取り付けたときに、誘導箱２の通り口２０２側と格子部材１１、１２によって、箱罠３の入口３１をやや余裕をもって封鎖することができる大きさに設定されている（図５、図６参照）。なお、封鎖部材を構成する格子部材を、例えば大きさの異なるものや形状の異なるもの、あるいは対応可能な数だけ用意しておくことにより、大きさや形状の調節が可能である。
【００４２】
格子部材１１、１２は、ガイド枠２４２、２４２ａの外部側に対する取り付け構造は同様であるので、ここでは便宜上、格子部材１２のガイド枠２４２ａに対する取り付け構造を説明し、格子部材１１の取り付け構造については説明を省略する。
【００４３】
格子部材１２の下枠１２０と中枠１２１において、格子部材１２の取り付け側の縦枠部材１２４寄りには、それぞれ軸受ブラケット１２２、１２３が設けられている。軸受ブラケット１２２、１２３のそれぞれには、軸ピン１２９を挿入するピン孔（符号省略）が形成されている。
【００４４】
また、ガイド枠２４２ａの下部側と上部側には、軸受ブラケット２４５、２４６が設けられている。軸受ブラケット２４５、２４６のそれぞれには、軸ピン１２９を挿入するピン孔（符号省略）が形成されている。そして、格子部材１２は、下側の軸受ブラケット１２２を同じく下側の軸受ブラケット２４５に重ね、上部側の軸受ブラケット１２３を同じく上部側の軸受ブラケット２４６に重ねて、各ピン孔を合わせて軸ピン１２９を通して取り付けられる。
【００４５】
また、格子部材１１も同様の取り付け構造により、格子部材１２とは反対側に取り付けられている。なお、格子部材１１、１２は、それぞれ縦枠部材１１４、１２４がガイド枠２４２、２４２ａの外面とほぼ接するように寸法の設定（各軸受ブラケットなどの関連する部品の寸法を含めて）がされている。これにより、格子部材１１、１２は、取り付け時において、箱罠３方向側へは回動せず、逆方向へは折り畳み可能としている。
【００４６】
本実施の形態では、上述のように、封鎖部材１の格子部材１１、１２を緊締バンド１６の使用によって箱罠３に固定するようになっており、格子部材１１、１２には箱罠３に固定するための固定具などは備えていないが、これに限るものではなく、係合金具などの固定具を備えるようにしてもよい。
【００４７】
（箱罠３：図１、図５及び図６参照）
次に、罠用殺処分装置Ｔ１を取り付ける箱罠３の構造を説明する。なお、箱罠３は、例えばイノシシやアナグマなどの捕獲対象獣を捕獲する罠であり、すでに公知のものであるので、ここでは構造の概略を説明するに止める。
【００４８】
箱罠３は、正面側を除いて、上面、底面、両側面及び背面の五面を、分解組み立てが可能な格子部材で形成した箱罠本体３０を有している。箱罠本体３０は、正面側に開口部である入口３１を有し、外形が前後に長いほぼ直方体状である。箱罠本体３０の内部は、捕獲対象獣である動物を収容し捕獲する捕獲空間３００となっている。そして、箱罠本体３０の正面側には、入口３１を開閉する落とし扉である入口側格子扉３２が設けられている。
【００４９】
箱罠本体３０を構成する側面格子部材３３、３４の正面側の端部には、入口３１を挟むように、山形鋼で形成された二本のガイド部材３５、３５ａが互いに平行になるように固定されている。ガイド部材３５、３５ａは、上部側を側面格子部材３３、３４の上端から所要の高さだけ突出させてある。ガイド部材３５、３５ａには、入口３１を開閉できるように上記入口側格子扉３２が昇降可能に嵌装されている。
【００５０】
箱罠本体３０の上面格子部材３６において、ガイド部材３５、３５ａの近傍には、ガイド部材３５、３５ａに沿って上昇させた入口側格子扉３２の下端部に係止して支持する支持機構３９を備えている。支持機構３９による入口側格子扉３２の支持の解除は、上面格子部材３６に設けられた、動物を検知することで作動するトリガー装置３７によって行われ、これにより入口側格子扉３２は落下して、入口３１を閉じるようになっている。
【００５１】
（作用）
図１乃至図６を参照して、罠用殺処分装置Ｔ１の作用及び罠用殺処分装置Ｔ１を使用した捕獲動物の殺処分方法について説明する。
【００５２】
（１）仕掛けた箱罠３に入口３１から動物９が入り、トリガー装置３７が作動して入口側格子扉３２が落ちて閉じることにより、動物９は捕獲空間３００内部で捕獲される。動物９が捕獲されたら、箱罠３の入口側格子扉３２が閉じた状態の入口３１側に罠用殺処分装置Ｔ１を取り付ける。罠用殺処分装置Ｔ１が備える封鎖部材１の格子部材１１、１２の取り付けは、複数の緊締バンド１６によって充分な取り付け強度をもって行われる。
なお、罠用殺処分装置Ｔ１は、誘導箱２に取り付けられる封鎖部材１を構成する格子部材１１、１２が着脱可能であり、大きさの異なるものや形状の異なるもの、あるいは対応可能な数だけ用意しておくことにより、封鎖部材の大きさや形状の調節が可能である。したがって、封鎖部材の大きさや形状を、罠用殺処分装置Ｔ１を取り付ける箱罠などの罠の入口の大きさに合わせることができる。これにより、封鎖部材１と誘導箱２で箱罠３の入口３１を確実に封鎖することができ、狩猟の現場において、汎用性が高く、様々な大きさの箱罠などの罠に対応することができる。
また、この封鎖部材１の取り付け状態においては、箱罠３の入口側格子扉３２と誘導箱２の通り口側格子扉２２の間に、両格子扉３２、２２が支障なく昇降できる隙間が設けられている。
【００５３】
（２）次に、箱罠３の入口側格子扉３２を閉じたままで、誘導箱２の通り口側格子扉２２を上昇させて通り口２０２を開け、開けた状態で支持機構２８により、通り口側格子扉２２をロックしておく（図３、図５参照）。
【００５４】
（３）箱罠３で捕獲されている動物９の大きさを勘案し、動物９が誘導箱２の収容空間２００に入ったときに、収容空間２００が小さすぎて動物９が入りにくいようであれば、各ジャッキ４５のハンドル４５０を回し、移動体４０を移動させて収容空間２００が大きくなるように調整しておく。また、収容空間２００が大きすぎて動物９の動きを充分に制限できないようであれば、ハンドル４５０を回して収容空間２００が小さくなるよう調節しておく。
【００５５】
（４）箱罠３の入口側格子扉３２を上昇させて上昇位置において支持機構３９でロックする。そして、狩猟者が、動物９を追い立てるための棒などを持ち、捕獲空間３００に差し込んだり各格子部材を叩くなどしたりして、動物９を入口３１方向へ追い立てる。動物９は追い立てられて、通り口２０２から誘導箱２の収容空間２００に入る。このタイミングで、支持機構２８によるロックを解除し、通り口側格子扉２２を落として通り口２０２を閉じる。
【００５６】
（５）誘導箱２の収容空間２００の内部で、必要に応じてハンドル４５０を回して動物９の動きを制限して暴れないようにしたら、通り口側格子扉２２を閉じたまま、動物９が入っている罠用殺処分装置Ｔ１を箱罠３から取り外す。そして、誘導箱２から格子部材１１、１２を外し、必要であれば誘導箱２を適当な場所に運んで、所定の方法で動物９の殺処分を行う。
【００５７】
（６）殺処分された動物９は、放血後、回収口側格子扉２１をスライドさせて開口した回収口２０１から外へ取り出され、食肉加工や埋葬などの所定の処理が行われる。その後、封鎖部材１を構成する格子部材１１、１２を誘導箱２に取り付け、箱罠３も動物を捕獲する前の元の状態に戻して、次の動物の捕獲に備える。
【００５８】
図７、図８を参照する。
本発明の第２の実施の形態である罠用殺処分装置Ｔ２は、上述の罠用殺処分装置Ｔ１と同様の誘導箱２及び動作制限装置４を有している。罠用殺処分装置Ｔ２では、誘導箱２に取り付けられている封鎖部材１ａが、通り口２０２の左右の一方側（本実施の形態では図７、図８において左側）だけに取り付けられている。
【００５９】
詳しくは、封鎖部材１ａを構成する格子部材１１ａ、１２ａは、互いに取り付ける側の縦枠部材１１５、１２５を、上下方向に等間隔で三箇所に設けたヒンジ部１００で連結している。そして、このように一体化した格子部材１１ａ、１２ａの格子部材１２ａ側を、図７に示すように、誘導箱２に上述の格子部材１２と同様にして取り付けている。
なお、罠用殺処分装置Ｔ２は、上述した部分以外は罠用殺処分装置Ｔ１と同様の構造であり、同様部分の説明および図７、図８における符号は同一の符号を付与しているが、省略しているものもある。
【００６０】
（作用）
罠用殺処分装置Ｔ２によれば、封鎖部材１ａを箱罠３の入口３１に取り付けたときに、誘導箱２が自然に入口３１の右側の端部に位置することになる。これにより、捕獲されている動物９を誘導箱２に追い込むときに、追い込みやすくなる。つまり、動物９は、箱罠３の内部で追い立てられると、箱罠３の側面格子部材３３、３４伝いに逃げる習性がある。したがって、動物が、誘導箱２の通り口２０２が位置している側の側面格子部材３３伝いに逃げるように追い立てることにより、誘導箱２に容易に追い込むことができる。
【００６１】
図９を参照する。
誘導箱の変形例である誘導箱２ａは、底面格子部材２７ａの中央に、四角形状の作業口２７０が形成されている。なお、誘導箱２ａは、以下で説明する部分以外は上述の誘導箱２と同様の構造であり、同様部分の説明および図９における符号は省略しているものがある。
【００６２】
作業口２７０の両側には、ガイド体２７１、２７２が互いに平行に設けられている。ガイド体２７１、２７２には、格子蓋２７３がスライド可能に嵌装されている。格子蓋２７３をスライドさせることにより、作業口２７０を実質的に開閉することができる。
【００６３】
（作用）
誘導箱２ａによれば、図９に示すように、誘導箱２ａの内部で動きが制限されている動物９の腹側に作業口２７０が開口することになる。したがって、例えば動物９が入った誘導箱２ａを地面に立てて、作業口２７０を誘導箱２の側部に位置させることにより、動物９に例えば心臓に到達する致命傷を与える作業がしやすくなり、殺処分が容易にできる。
【００６４】
図１０を参照する。
本発明の第３の実施の形態である罠用殺処分装置Ｔ３は、封鎖部材１ｂを構成する格子部材１１ｂ、１２ｂに、それぞれスペーサ１４が固定されている。各スペーサ１４は、拡大図Ｐ３に示すように、四角形状の金属板であり、格子部材１１ｂ、１２ｂの中段部に、かつ外側の縦枠部材１１５ｂ、１２５ｂ近傍に水平に固定されている。各スペーサ１４は、下側から挟持板１４０をボルト止めして枠材（符号省略）に固定されている。なお、各スペーサ１４の位置は、罠用殺処分装置Ｔ３を箱罠３に取り付けたとき、上述の箱罠３のガイド部材３５、３５ａに正面から当接する位置に設定されている。
【００６５】
また、格子部材１１ｂ、１２ｂは、取り付け部において上部側は、拡大図Ｐ１に示すように上述の格子部材１１、１２と同様に上部側の軸受ブラケット２４６に軸受ブラケット１１３を重ね、軸ピン１１９を孔に通して取り付けられている。また、取り付け部において下部側は、拡大図Ｐ２に示すように上述の格子部材１１、１２とは異なり、軸受ブラケット２４５と軸受ブラケット１１２を二つのピン１１７、１１８で止めるようにしてある。
【００６６】
（作用）
罠用殺処分装置Ｔ３によれば、各スペーサ１４によって箱罠３の入口側格子扉３２と誘導箱２ｂの通り口側格子扉２２の間隔が所要の間隔で維持され、入口側格子扉３２と通り口側格子扉２２が互いに干渉することがなく、円滑な作動が可能になる。
【００６７】
また、封鎖部材１ｂを構成する格子部材１１ｂ、１２ｂが、下部側で軸受ブラケット２４５と軸受ブラケット１１２を二つのピン１１７、１１８で止めて取り付けられているので、格子部材１１ｂ、１２ｂは水平方向には回動しない。これにより、格子部材１１ｂ、１２ｂのガタも軽減され、取り扱いがしやすい。また、格子部材１１ｂ、１２ｂの固定力も強いために強度に優れ、安全性能も良好である。
【００６８】
図１１を参照する。
本発明の第４の実施の形態である罠用殺処分装置Ｔ４は、上記罠用殺処分装置Ｔ３とは、封鎖部材１ｂを構成する格子部材１１ｂ、１２ｂの上部側の取付構造のみが異なり、他は同様の構造を有している。なお、図１１において、図１０に示す罠用殺処分装置Ｔ３と同一または同等箇所には同一の符号を付して示し、構造について重複する説明は省略する。
【００６９】
格子部材１１ｂ、１２ｂは、拡大図Ｐ４、Ｐ５に示すように、取り付け部において、上部側をロック金具１３により止められる。ロック金具１３は、ガイド部材２４２、２４２ａに沿うように固定された軸受部材１３０を有している。また、軸受部材１３０とガイド部材２４２は、連結片１３６で連結され、補強されている。なお、拡大図Ｐ５は、拡大図Ｐ４と同じ箇所を見る角度を水平に近くして表している。
【００７０】
軸受部材１３０は、山形鋼で形成され、長さ方向の基端部と中間部にアングル１３１、１３２が固定されている。軸受部材１３０の先端側（図１１において下端側）には、係止切欠部１３３が形成されている。そして、アングル１３１、１３２には、貫通孔（符号省略）が形成されている。
【００７１】
また、アングル１３１、１３２の各貫通孔には、各貫通孔に渡るようにＬ字型のロックピン１３４が挿通されている。ロックピン１３４は、曲げて形成された係止部（符号省略）をアングル１３２の外側（下側）に位置させて通してあり、圧縮バネ１３５でアングル１３１方向へ付勢されている。
【００７２】
そして、ロックピン１３４は、係止部を上記係止切欠部１３３に係止した状態では、その先端部分（上端部分）の上記軸受ブラケット２４６、１１３の合わさった各ピン孔への挿通状態が解除され、格子部材１１ｂ、１２ｂの取り外しができるようになる。
【００７３】
また、ロックピン１３４は、上記係止状態を解除すると、上昇して先端部分が軸受ブラケット２４６、１１３の合わさった各ピン孔に挿通され、格子部材１１ｂ、１２ｂは取り付けられる。このように、格子部材１１ｂ、１２ｂの着脱作業を、格子部材１１ｂ、１２ｂに一体に備えてあるロック金具１３で行うことができるので、作業が簡単であり、別体の軸ピンなどを使用する場合とは異なり紛失などの心配もない。
【００７４】
本明細書で使用している用語と表現は、あくまでも説明上のものであって、なんら限定的なものではなく、本明細書に記述された特徴及びその一部と等価の用語や表現を除外する意図はない。また、本発明の技術思想の範囲内で、種々の変形が可能であるということは言うまでもない。
【符号の説明】
【００７５】
Ｔ１  罠用殺処分装置
２  誘導箱
２０  箱本体
２００  収容空間
２１  回収口側格子扉
２０１  回収口
２２  通り口側格子扉
２０２  通り口
２３  側面格子部材
２６  上面格子部材
２７  底面格子部材
２４１  開口部
２４２、２４２ａ  ガイド枠
２４３、２４３ａ  ガイド枠
２４５、２４６  軸受ブラケット
２４７、２４７ａ  ガイド枠
２４８、２４８ａ  ガイド枠
４  動作制限装置
４０  移動体
４１、４２  取り付け部材
４３、４４  補強台板
４５  ジャッキ
４５０  ハンドル
４００  スライド部材
１  封鎖部材
１１、１２  格子部材
１１４  縦枠部材
１２０  下枠
１２１  中枠
１２２、１２３  軸受ブラケット
１２４  縦枠部材
１２９  軸ピン
１６  緊締バンド
１６０  バンド
１６１  フック
１６２  締付具
３  箱罠
３０  箱罠本体
３００  捕獲空間
３１  入口
３２  入口側格子扉
３３、３４  側面格子部材
３５、３５ａ  ガイド部材
３６  上面格子部材
３７  トリガー装置
３９  支持機構
Ｔ２  罠用殺処分装置
１ａ  封鎖部材
１１ａ、１２ａ  格子部材
１１５、１２５  縦枠部材
１００  ヒンジ部
２ａ  誘導箱
２７ａ  底面格子部材
２７０  作業口
２７１、２７２  ガイド体
２７３  格子蓋
Ｔ３  罠用殺処分装置
１ｂ  封鎖部材
１１ｂ、１２ｂ  格子部材
１４  スペーサ
１１５ｂ、１２５ｂ  縦枠部材
１４０  挟持板
１１２  軸受ブラケット
１１３  軸受ブラケット
１１７、１１８  ピン
１１９  軸ピン
１３  ロック金具
１３０  軸受部材
１３１、１３２  アングル
１３３  係止凹部
１３４  ロックピン
１３５  圧縮バネ
１３６  連結片
【図１】
2017192328.tif 000003
【図２】
2017192328.tif 000004
【図３】
2017192328.tif 000005
【図４】
2017192328.tif 000006
【図５】
2017192328.tif 000007
【図６】
2017192328.tif 000008
【図７】
2017192328.tif 000009
【図８】
2017192328.tif 000010
【図９】
2017192328.tif 000011
【図１０】
2017192328.tif 000012
【図１１】
2017192328.tif 000013
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
罠の捕獲空間より小さく、動物が暴れることができないように動きを制限する収容空間、及び該収容空間と連通する開閉可能な通り口を有する誘導箱と、
該誘導箱の前記通り口の近傍に着脱可能で、内部の捕獲空間に通じる開閉可能な入口を有する罠に、該罠の前記入口を開閉可能な状態で、前記誘導箱と共に前記入口を封鎖するように着脱可能な封鎖部材とを備えており、
該封鎖部材は、二枚の四角形状の格子部材からなり、該各格子部材は、前記誘導箱の前記通り口の近傍の相対する位置への一枚ずつの取り付け、あるいは相対する位置の何れか一方に二枚を連結して取り付けが可能である
罠用殺処分装置。
【請求項２】
前記誘導箱の収容空間の大きさを調節可能な動作制限手段を有する
請求項１の罠用殺処分装置。
【請求項３】
前記誘導箱が、底部に、捕獲した動物の殺処分を行うための開閉可能な作業口を有する
請求項１または２の罠用殺処分装置。
【請求項４】
前記誘導箱が、前記通り口とは反対側に、殺処分した動物を回収するための開閉可能な回収口を有する
請求項１、２または３の罠用殺処分装置。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
罠の捕獲空間より小さく、動物が暴れることができないように動きを制限する収容空間、及び該収容空間と連通する開閉可能な通り口を有する誘導箱と、
該誘導箱の前記通り口の近傍に着脱可能で、内部の捕獲空間に通じる開閉可能な入口を有する罠に、該罠の前記入口を開閉可能な状態で、前記誘導箱と共に前記入口を封鎖するように着脱可能な封鎖部材とを備えており、
該封鎖部材は、二枚の四角形状の格子部材からなり、該各格子部材は、前記誘導箱の前記通り口の左右側への一枚ずつの取り付け、あるいは左右側の何れか一方に二枚を連結して取り付けが可能である
罠用殺処分装置。
【請求項２】
前記誘導箱の収容空間の大きさを調節可能な動作制限手段を有する
請求項１の罠用殺処分装置。
【請求項３】
前記誘導箱が、底部に、捕獲した動物の殺処分を行うための開閉可能な作業口を有する
請求項１または２の罠用殺処分装置。
【請求項４】
前記誘導箱が、前記通り口とは反対側に、殺処分した動物を回収するための開閉可能な回収口を有する
請求項１、２または３の罠用殺処分装置。